(57)【特許請求の範囲】
【請求項１】
電動式の駆動機構を備えたベッド装置において、
ベッドフレームと、
このベッドフレームの長手側に設けられるとともにベッドフレームの幅方向外方に向かって延出した載置部を有する取付け部材と、
この取付け部材の載置部上面に載置された上記駆動機構を作動せるためのフットスイッチとを具備し、
上記フットスイッチは、上面が開放した箱形状のベースと、このベースの上面を閉塞するとともに長手方向中途部が上記ベースに回動自在に支持されたカバーと、上記ベース内の長手方向両端部に設けられ上記カバーを左右方向に回動させることでそれぞれ作動する一対のスイッチと、上記カバーを上記スイッチを作動させない状態で弾性的に保持した弾性部材と、上記カバーが左右方向に回動するのを阻止することができるストッパ手段とから構成され、
上記ストッパ手段は、上記カバーの長手方向両端部に設けられた一対の第１の当接部と、上記カバーの長手方向に沿ってスライド自在に設けられているとともに両端部に一対の第２の当接部が設けられたスライダとを有し、
上記スライダをスライドさせてその一対の第２の当接部を第１の当接部に対向位置させることで、上記カバーの左右方向の回動を阻止することを特徴とするベッド装置。
【発明の詳細な説明】
【０００１】
【発明の属する技術分野】
この発明は駆動機構によって床板を起伏させることができる構造のベッド装置に関する。
【０００２】
【従来の技術】
病人や老人などのように自力で上半身を起すことができない利用者や病院用などのベッド装置としては、ベッドフレームを電動式の駆動機構によって上下駆動できるようにした構成のものが知られている。
【０００３】
この種のベッド装置においては、上記駆動機構はリモートコントローラによって遠隔的に操作できるようにしている。つまり、上記リモートコントローラを片手に持って操作することで、上記駆動機構を作動させて床板を起伏させることができるようにしている。
【０００４】
しかしながら、リモートコントローラを操作しているときには、一方の手をそれ以外の作業に使うことができないから、たとえば患者の身体を押さえるなどの介護をしながらリモートコントローラによってベッドフレームを上下動させなければならない場合、リモートコントローラの操作をしていない他方の手だけしか使うことができない。そのため、介護が片手作業となってしまうから、確実かつ十分に行うことができないということがあった。
【０００５】
上記駆動機構を遠隔的に操作する他の手段としてフットスイッチが知られている。フットスイッチは、通常床面に設置され、このフットスイッチを足で踏んで操作することで床板を起伏させることができるようになっている。そのため、フットスイッチを用いれば、両方の手を患者の介護に使用できるから、その介護を確実かつ十分に行うことが可能となる。
【０００６】
しかしながら、フットスイッチは床面に設置されているから、不用意に踏んで駆動機構を作動させてしまうということがあるばかりか、ベッド装置を移動させる場合にはその都度、フットスイッチを床面から取り外すなどのことしなければならないから、煩わしいということがあるばかりか、床面から取り外すのを忘れてベッド装置を移動させることで損傷させてしまうということもある。
【０００７】
【発明が解決しようとする課題】
このように、ベッド装置に設けられた電動式の駆動機構をリモートコントローラによって操作する構成であると、その操作によって一方の手がふさがれてしまうから、上記駆動機構を作動させるときに、患者を片方の手だけでしか介護することができないということがあり、両方の手を使えるようにフットスイッチにすると、ベッド装置を移動させるときに不便であったり、床面から取り外すのを忘れて破損させてしまうことがあり、さらには不用意に作動させてしまうことなどがある。
【０００８】
この発明は、ベッド装置を移動させるときにフットスイッチを持ち上げずにすむようにするとともに、上記フットスイッチが不用意に作動させられることもないようにしたベッド装置を提供することにある。
【００１０】
【課題を解決するための手段】
請求項１の発明は、電動式の駆動機構を備えたベッド装置において、
ベッドフレームと、
このベッドフレームの長手側に設けられるとともにベッドフレームの幅方向外方に向かって延出した載置部を有する取付け部材と、
この取付け部材の載置部上面に載置された上記駆動機構を作動せるためのフットスイッチとを具備し、
上記フットスイッチは、上面が開放した箱形状のベースと、このベースの上面を閉塞するとともに長手方向中途部が上記ベースに回動自在に支持されたカバーと、上記ベース内の長手方向両端部に設けられ上記カバーを左右方向に回動させることでそれぞれ作動する一対のスイッチと、上記カバーを上記スイッチを作動させない状態で弾性的に保持した弾性部材と、上記カバーが左右方向に回動するのを阻止することができるストッパ手段とから構成され、
上記ストッパ手段は、上記カバーの長手方向両端部に設けられた一対の第１の当接部と、上記カバーの長手方向に沿ってスライド自在に設けられているとともに両端部に一対の第２の当接部が設けられたスライダとを有し、
上記スライダをスライドさせてその一対の第２の当接部を第１の当接部に対向位置させることで、上記カバーの左右方向の回動を阻止することを特徴とする。
【００１５】
請求項１の発明によれば、フットスイッチのカバーの回動を阻止できるストッパ手段を設けたことで、このストッパ手段によってスイッチを不用意に作動させるのを確実に防止することができる。
【００１６】
さらに、請求項１の発明によれば、ストッパ手段を、フットスイッチのカバーに設けられた一対の第１の当接部と、一対の第２の当接部を有し、上記カバーに対してスライド自在に設けられたスライダとから構成したから、簡単な構成で確実に上記カバーの回動を阻止してスイッチが作動するのを防止できる。
【００１７】
【発明の実施の形態】
以下、この発明の一実施の形態を図面を参照して説明する。
図６は起床式のベッド装置１を示し、このベッド装置１は四隅部に設けられたストッパ付きのキャスタ２によって移動自在に形成されたベースフレーム３を有する。このベースフレーム３にはベッドフレーム４が電動式の上下駆動機構５によって上下動可能に設けられており、この上下駆動機構５は後述するフットスイッチ２１によって駆動されるようになっている。
【００１８】
上記ベッドフレーム４は矩形枠状をなしていて、その上面には床板６が載置されている。この床板６上には折り曲げ可能なマットレスＭが載置されている。上記床板６は互いに回動自在に連結された複数の床部に分割されている。つまり、床板６は、上記ベッドフレーム４の長手方向中途部に固定された固定床部６ａを有し、この固定床部６ａの一端側には腰床部６ｂと背床部６ｃとが順次回動自在に連結されている。上記固定床部６ａの他端側には第１の脚床部６ｄと第２の脚床部６ｅとが順次回動自在に連結されている。
【００１９】
上記ベッドフレーム４の下面側には上記床板６を起伏駆動するための背上げ駆動機構１１が設けられている。この背上げ駆動機構１１は、側面に駆動モータ１２が設けられた駆動ボックス１３を有し、この駆動ボックス１３の一端側と他端側とには上記駆動モータ１２によって回動駆動される第１のアーム１４と第２のアーム１５とが設けられている。
【００２０】
第１のアーム１４の先端側には一対の第１のローラ１６が所定間隔で回転自在に設けられ、これら第１のローラ１６は上記背床部６ｃの下面に長手方向に沿って設けられたレール１７に転動自在に係合している。したがって、上記第１のアーム１４が起立方向に駆動されれば、その動きに連動して上記背床部６ｃが起立させられるようになっている。
【００２１】
上記第２のアーム１５の先端部には第２のローラ１８が回転自在に設けられ、この第２のローラ１８は上記第１の脚床部６ｄの下面に当接している。したがって、第２のアーム１５が起立方向に駆動されれば、その動きに連動して第１の脚床部６ｄと第２の脚床部６ｅとがほぼへの字状になるよう駆動される。なお、第２の脚床部６ｅとベッドフレーム４とはリンク１９によって連結され、このリンク１９によって第２の脚床部６ｅは第１の脚床部６ｄに連動した状態で保持されるようになっている。
【００２２】
上記ベースフレーム３の長手側には上記上下駆動機構５を作動させるためのフットスイッチ２１が取付け部材２２によって取り付けられている。つまり、この取付け部材２２は図３に示すように上記ベースフレーム３の側部材３ａにスライド自在に係合するほぼ逆Ｕ字状の係止部２３ａを有し、この係止部２３ａの一側下端には載置部２３ｂが水平状態よりもわずかに下方に向かって傾斜した状態で延出されていて、この載置部２３ｂの上面に上記フットスイッチ２１が載置固定されている。
【００２３】
上記係止部２３ａの高さ寸法は上記側部材３ａの高さ寸法よりも大きく形成され、その下端部の両側間にはボルト２４が挿通されている。係止部２３ａの一側外面にはナット２５が設けられ、上記ボルト２４はこのナット２５に螺合されている。したがって、ボルト２４を締め込むことで、係止部２３ａの幅寸法が狭くなるから、それによって取付け部材２２を上記側部材３ａに固定できるようになっている。
【００２４】
なお、上記取付け部材２２は側部材３ａに対してスライド自在とせずに、溶接や接着テープによって上記側部材３ａの所定の位置に固定するようにしてもよい。
【００２５】
上記フットスイッチ２１は、図４に示すように上面が開放した細長い箱形状をなしたベース３１を有する。このベース３１の上面はカバー３２によって覆われている。このカバー３２の内面の長手方向中途部には図５に示すように上記ベース３１の内面に接合する一対の舌片３３が垂設され、これら舌片３３は上記ベース３１の側壁に支軸３４によって回動自在に連結されている。
【００２６】
上記カバー３２は周壁３２ａを有し、この周壁３２ａは上記ベース３１の周壁３１ａの外面を覆っている。そのため、フットスイッチ２１の上面に液体がかかっても、その液体がベース３１の内部に浸入することがないようになっている。
【００２７】
上記ベース３１内には、図４に示すように、このベース３１の支軸３４が設けられた長手方向中央部を中心にして左右に対称に一対のマイクロスイッチ３５（一方のみ図示）が所定間隔で配置されている。各マイクロスイッチ３５にはアクチュエータ３６の基端が枢着され、このアクチュエータ３６の円弧状に形成された先端部は上記カバー３２の内面に設けられた押圧子３７に弾性的に当接している。この押圧子３７によって上記アクチュエータ３６を押圧することで、マイクロスイッチ３５が作動するようになっている。
【００２８】
上記ベース３１内の上記マイクロスイッチ３５よりも端部側にはそれぞれ弾性部材としてのコイルばね３８が設けられている。このコイルばね３８は上記カバー３２を上記マイクロスイッチ３５を作動させない中立状態で弾性的に保持している。したがって、上記カバー３２を上記コイルばね３８の付勢力に抗して回動させることで、左右どちらか一方のマイクロスイッチ３５を作動させることができるようになっている。
【００２９】
上記カバー３２の上面は、長手方向中央部から両端部に行くにつれて上方に向かって傾斜しており、その傾斜によって長手方向両端部の内面とベース３１の上端面との間には図４に寸法ｄで示す隙間が形成されている。したがって、カバー３２は上記隙間ｄの分だけ左右方向に回動させることができるようになっており、それ以上回動させることができないから、上記カバー３２を回動させすぎてマイクロスイッチ３５を損傷させるのを防止できる。
【００３０】
上記フットスイッチ２１のカバー３２の一端側を押圧してこのカバー３２を図３に矢印Ａで示す方向へ回動させて一方のマイクロスイッチ２１をオンにすれば、上記上下駆動機構５が作動してベッドフレーム４が上昇方向へ駆動され、上記カバー３２の他端側を押圧してカバー３２を矢印Ｂで示す方向へ回動させ、他方のマイクロスイッチ３５をオンにすれば、上記上下駆動機構５によって上記ベッドフレーム４を下降方向へ駆動できるようになっている。
【００３１】
なお、上記上下駆動機構５は図６に示すようにカバー３２を押圧して回動させ、マイクロスイッチ３５をオン状態にしているときにだけ作動し、カバー３２の押圧状態を解除すると、その作動は停止するようになっている。
【００３２】
上記フットスイッチ２１のベース３１は、取付け部材２２の載置部２３ｂに載置され、ねじ（図示せず）によって固定されている。上記ベース３１の下端部の一側には図３と図４に示すように飾り壁３１ａが垂設され、この飾り壁３１ａは上記載置部２３ｂの端面を覆っている。それによって、載置部２３ｂの端面が露出しないから、外観的に体裁がよくなっている。
【００３３】
上記上下駆動機構５は、上記ベースフレーム１に上記ベッドフレーム４を上下動自在に連結したリンク４１及びこのリンク４１を矢印方向に回動させるための駆動源４２とからなり、この駆動源４２が上記フットスイッチ２１によって作動させることができるようになっている。
【００３４】
上記フットスイッチ２１にはそのカバー３２の回動を阻止してマイクロスイッチ３５をオンさせないようにするストッパ手段５１が設けられている。このストッパ手段５１は図７（ａ），（ｂ）と図８（ａ），（ｂ）とに示すように、上記カバー３２の側壁内面の長手方向両端部に設けられた一対の第１の当接部５２と、上記取付け部材２２の載置部２３ｂの上面と上記ベース３１の下面とに挟まれこのベース３１に対してスライド自在に設けられたスライダ５３とから構成されている。
【００３５】
上記スライダ５３は帯状鋼板からなり、その長手方向両端部の幅方向一側には上記一対の第１の当接部５２とほぼ同じ間隔で一対の第２の当接部５４が折曲形成されているとともに、中途部の幅方向他側には操作用の摘み５５が折曲形成されてなる。
【００３６】
図７（ａ），図８（ａ）に示すように、上記ベース３１の側壁外面の長手方向両端部には一対の支持片５６がそれぞれ突設されている。上記ベース３１は、支持片５６が設けられた側壁を上記取付け部材２２の係止部２３ａ側に向けて載置部２３ｂに取り付けられている。
【００３７】
各支持片５６には長手方向に沿うガイド孔５７が形成されていて、このガイド孔５７に上記スライダ５３の一対の第２の当接部５４がスライド自在に挿入されている。つまり、スライダ５３は支持片５６と載置部２３ａとの間にスライド自在に設けられ、上記載置部２３ａの上面には上記スライダ５３のスライドを円滑にするための樹脂製シート５８が介装されている。
【００３８】
図７（ａ）に示すように、上記スライダ５３を第２の当接部５４がガイド孔５７の一端側に当接するまで矢印Ｚで示す方向へスライドさせると、一対の第２の当接部５４が上記カバー３２に設けられた一対の第１の当接部５２に対向位置する。それによって、上記カバー３２は支軸３４を支点とする回動が阻止されるロック状態となる。
【００３９】
図８（ａ）に示すように、第２の当接部５４がガイド孔５７の他端側に当接するよう、上記スライダ５３を矢印Ｚと逆方向へスライドさせると、一対の第２の当接部５４がカバー３２の第１の当接部５２と非対向状態になるから、上記カバー３２は支軸３４を支点として回動可能なフリー状態となる。
【００４０】
上記カバー３２を回動させることができれば、ベース３１に内蔵されたマイクロスイッチ３５をオンさせることができるから、上下駆動機構５を作動させてベッドフレーム４を上下動させることができる。
【００４１】
図９に示すように、上記ベース３１の底面には、その一側面に開放した収容凹部６１が形成され、この収容凹部６１にはほぼ三角形状に折り曲げられた板バネ６２が一部をベース３１の側面から突出させて収容されている。
【００４２】
一方、上記スライダ５３の一側面には第１の係合凹部６３ａと第２の係合凹部６３ｂとが形成されている。このスライダ５３を矢印Ｚ方向へスライドさせて第１の当接部５２が第２の当接部５４に対向位置するロック状態にすると、上記ばね６２は第１の係合部６３ａに係合してスライダ５３を弾性的にスライド不能に保持する。同様に、スライダ５３を第１の当接部５２が第２の当接部５４に非対向となるフリー状態にすると、上記ばね６２が第２の係合部６３ｂに係合して上記スライダ５３を弾性的にスライド不能に保持する。つまり、スライダ５３はロック状態とフリー状態とで自由にスライドするのが阻止されている。
【００４３】
上記構成のベッド装置１によれば、ベッドフレーム４を上下動させる上下駆動機構５をフットスイッチ２１によって作動させるようにした。そのため、ベッドフレーム４を上昇あるいは下降させながらマットレスＭ上に仰臥した患者を介護しなければならない場合、介護者は上記フットスイッチ２１を足で操作することができるため、両方の手で患者を介護しながらベッドフレーム４を上下動させることができる。したがって、介護者は患者の介護を両方の手で確実に行いながらベッドフレーム４を上下動させることができる。
【００４４】
上記フットスイッチ２１をベースフレーム３に設けるようにしたことで、ベッド装置１を移動させる場合に上記フットスイッチ２１を床面から取り外したり、ベッド装置１上に載せるなどのことをせずにすむ。
【００４５】
上記フットスイッチ２１は取付け部材２２に形成された載置部２３ｂの上面に設けられている。そのため、フットスイッチ２１を作動させる場合、介護者は足を上げてカバー３２の上面に載せ、そのカバー３２の一端側を踏んで回動させなければならない。
【００４６】
つまり、フットスイッチ２１を作動させる場合、介護者はそのことを意識して足を持ち上げなければならないから、上記フットスイッチ２１を、たとえば床面に置いた場合のように、不用意に踏んで作動させてしまうのを防止することができる。つまり、フットスイッチ２１を取付け部材２２の載置部２３ｂの上面に設けるようにしたことで、安全性を向上させることができる。
【００４７】
上記フットスイッチ２１にはストッパ手段５１が設けられている。このストッパ手段５１はスライダ５３を有し、このスライダ５３をスライドさせることで、上記カバー３２を回動不能なロック状態あるいは回動可能なフリー状態にすることができる。
【００４８】
そのため、ベッドフレーム４を上下動させるときには上記ストッパ手段５１をフリー状態とし、上下動させないときにはロック状態としておけば、上記フットスイッチ２１を不用意に操作しても、カバー３２が回動してマイクロスイッチ３５が作動するということがないから、そのことによっても安全性を高めることができる。
【００４９】
しかも、上記ストッパ手段５１の操作はスライダ５３をスライドさせるだけであるから、その操作も簡単であり、さらにスライダ５３は取付け部材２２に取付けられたフットスイッチ２１の背面側、つまり後方側に設けられているから、そのスライダ５３を不用意に操作するということも防止できる。
【００５０】
上記フットスイッチ２１はベース３１とカバー３２とから構成され、カバ−３２はベース３１の上面開口を閉塞している。そのため、フットスイッチ２１の上面に液体をこぼすようなことがあっても、その液体が内部に浸入してその内部の電気部品を損傷させるようなことがない。
【００５１】
ベース３１に回動自在に設けられたカバー３２によってマイクロスイッチ３５を作動させるようにするとともに、上記カバー３２が所定以上回動するのを規制するようにしたことで、カバー３２を踏んでフットスイッチ２１を作動させるときに、上記カバー３２を回動させ過ぎてマイクロスイッチ２１を損傷させるということを防止できる。
【００５２】
しかも、フットスイッチ２１はベース３１とカバー３２とが一体化された構成であるから、コンパクトであるばかりか、取付け部材２２の載置部２３ｂに対する取付けも、上記ベース３１を上記載置部２３ｂにねじ止め固定するだけであるから、容易に取り付けることができる。
【００５３】
上記載置部２３ｂは水平状態よりも下方へ向かってわずかに傾斜している。そのため、その上面に設けられたフットスイッチ２１上に足を載せ易いから、上記フットスイッチ２１の操作がし易い。なお、載置部２３ｂは傾斜させず、ほぼ水平であっても差し支えない。
【００５４】
上記ベースフレーム３の側部材３ａにスライド自在に係合した取付け部材２２の係止部２３ａはほぼ逆Ｕ字状であって、この係止部２３ａはボルト２４によって上記側部材３ａから外れないように保持されている。そのため、取付け部材２２を側部材３ａに沿ってスライドさせるために、上記ボルト２４を緩めても、取付け部材２２が側部材３ａから外れることがないから、上記取付け部材２２の位置決めを容易、かつ確実に行うことができる。
【００５５】
この発明は上記一実施の形態に限定されず、たとえばフットスイッチは上下駆動機構でなく、背上げ駆動機構を作動させる構成であってもよく、あるいは２つのフットスイッチを設け、一方は上下駆動機構、他方は背上げ機構をそれぞれ作動させるようにしてもよい。
【００５６】
さらに、ベッドフレームあるいは床板を幅補横行に揺動させるローリング機構を有するベッド装置の場合、そのローリング機構をフットスイッチによって作動させるようにしてもよい。
【００５９】
【発明の効果】
請求項１の発明によれば、フットスイッチのカバーの回動を阻止できるストッパ手段を設けるようにした。
そのため、このストッパ手段によってカバーの回動を阻止しておけば、スイッチを不用意に作動させるのを確実に防止することができるから、安全性の向上を計ることができる。
【００６０】
さらに、請求項１の発明によれば、ストッパ手段を、フットスイッチのカバーに設けられた一対の第１の当接部と、上記カバーに対してスライド自在に設けられるとともに一対の第２の当接部を有するスライダとから構成した。
そのため、ストッパ手段を簡単で、しかも上記カバーの回動を確実に阻止してスイッチが作動するのを防止できる構造とすることができる。
【図面の簡単な説明】
【図１】この発明の一実施の形態のフットスイッチの取付け状態を示す平面図。
【図２】同じく正面図。
【図３】同じく側面図。
【図４】同じくフットスイッチの一部断面した正面図。
【図５】同じく図４のＸ−Ｘ線に沿う拡大断面図。
【図６】同じくベッド装置の側面図。
【図７】同じく（ａ）はスライダがロック状態にあるフットスイッチの側面図、（ｂ）は同じく底面図。
【図８】同じく（ａ）はスライダがフリー状態にあるフットスイッチの側面図、（ｂ）は同じく底面図。
【図９】同じくカバーのストッパ手段が設けられた部分を示す底面図。
【図１０】同じくフットスイッチをストッパ手段が設けられた背面側から見た斜視図。
【符号の説明】
４…ベッドフレーム
５…上下駆動機構
２１…フットスイッチ
２２…取付け部材
２３ｂ…載置部
３１…ベース
３２…カバー
３５…マイクロスイッチ
３８…コイルばね（弾性部材）
５１…ストッパ手段
５２…第１の当接部
５３…スライダ
５４…第２の当接部
【図１】
0003718591.tif 000002
【図２】
0003718591.tif 000003
【図３】
0003718591.tif 000004
【図４】
0003718591.tif 000005
【図５】
0003718591.tif 000006
【図６】
0003718591.tif 000007
【図７】
0003718591.tif 000008
【図８】
0003718591.tif 000009
【図９】
0003718591.tif 000010
【図１０】
0003718591.tif 000011